(57)【要約】【課題】複数の仕事を抱える作業者に対して、個人業務の段取りを支援することができる多層ワーク支援装置を提供する。【解決手段】多層ワーク支援装置１０において、表示制御プログラム２００は、ユーザによる次ボタン１８４の押下操作を受け付けたか否かを判定し、次ボタン１８４が押下された場合、表示制御プログラム２００は、ワークセット定義テーブルを参照する。その後、表示制御プログラム２００は、ワークセットの属性に基づいて、ワークセットの優先順序判定処理を行い、さらに、判定された優先順序に基づいて表示処理を行う。表示制御プログラム２００は、全てのワークセットが表示済みであるか否かを判定し、全ての対象が表示済みである場合には処理を終了し、そうでない場合には、次ボタン１８４が押下されると表示処理に戻って、次の優先順位のワークセットを表示する。【選択図】図１０
2007156878.tif 000002
【特許請求の範囲】
【請求項１】
ディスプレイと、
ワークセット表示指示手段と、
複数のワークセットを記憶するワークセット記憶手段と、
前記ワークセット表示指示手段で指示された場合、前記ワークセット記憶手段により記憶されている複数のワークセットを所定の順序で前記ディスプレイに表示する表示制御手段と
を有する多層ワーク支援装置。
【請求項２】
前記ワークセット記憶手段は、複数のワークセットそれぞれの属性を記憶し、
前記表示制御手段は、前記ワークセット記憶手段により記憶されているワークセットの属性に基づいて複数のワークセットの表示順序を判定する
請求項１に記載の多層ワーク支援装置。
【請求項３】
前記ワークセット記憶手段は、ワークセットの指定日を属性として記憶し、
前記表示制御手段は、前記ワークセット記憶手段により記憶されているワークセットの指定日に基づいて複数のワークセットの表示順序を判定する
請求項２に記載の多層ワーク支援装置。
【請求項４】
前記表示制御手段は、ワークセットの指定日が予め設定されている期間に含まれるワークセットを判定対象とする
請求項３に記載の多層ワーク支援装置。
【請求項５】
前記ワークセット記憶手段は、ワークセットに対する関心度を属性として記憶し、
前記表示制御手段は、前記ワークセット記憶手段により記憶されているワークセットに対する関心度に基づいて複数のワークセットの表示順序を判定する
請求項２に記載の多層ワーク支援装置。
【請求項６】
前記ワークセット記憶手段は、ワークセットに対する前回アクセス時を属性として記憶し、
前記表示制御手段は、前記ワークセット記憶手段により記憶されているワークセットに対する前回アクセス時に基づいて複数のワークセットの表示順序を判定する
請求項２に記載の多層ワーク支援装置。
【請求項７】
前記ワークセット記憶手段は、ワークセットのリフレッシュ度を属性として記憶し、
前記表示制御手段は、前記ワークセット記憶手段により記憶されているワークセットのリフレッシュ度に基づいて複数のワークセットの表示順序を判定する
請求項２に記載の多層ワーク支援装置。
【請求項８】
前記表示制御手段は、前記ワークセット表示指示手段で指示された場合、判定された優先順序に基づいて、前記ディスプレイに表示されているワークセットの次の優先順序のワークセットを前記ディスプレイに表示する
請求項２乃至７のいずれかに記載の多層ワーク支援装置。
【請求項９】
前記表示制御手段は、前記ディスプレイに表示されているワークセットが複数の対象を含む場合、前記ワークセット表示指示手段で指示されると、前記ディスプレイに表示されている対象の次の対象を前記ディスプレイに表示する
請求項８に記載の多層ワーク支援装置。
【請求項１０】
ディスプレイとワークセット表示指示手段とを有する多層ワーク支援装置において、
前記ワークセット表示指示手段で指示された場合、記憶されているワークセットの属性に基づいて複数のワークセットの表示順序を判定し、
前記判定された表示順序で複数のワークセットを前記ディスプレイに表示する
多層ワーク支援装置の表示制御方法。
【請求項１１】
コンピュータとディスプレイとワークセット表示指示手段とを有する多層ワーク支援装置において、
前記ワークセット表示指示手段で指示された場合、記憶されているワークセットの属性に基づいて複数のワークセットの表示順序を判定する判定ステップと、
前記判定された表示順序で複数のワークセットを前記ディスプレイに表示する表示ステップと
を前記多層ワーク支援装置のコンピュータに実行させるプログラム。
【発明の詳細な説明】
【技術分野】
【０００１】
本発明は、パーソナルコンピュータ、ディスプレイ、スピーカ等のコンピューティング環境を、複数、機能的に統合して、複雑多数のワークに効率よく取り組むためのコンピューティング環境を構築する技術に関する。
【背景技術】
【０００２】
オフィスワーカーの仕事量は、数的にもますます多くなる傾向にあり、複数並行的に進める状況も多く見受けられるようになってきた。発明者らは、この状況を打開的に支援するための多重／多層ワーク支援装置の研究を続けている。オフィスワーカーが、多数の仕事を把握しながら、しかも割り込みにも動的に対処しながら仕事を進める場合、オフィスワーカーが次に何をすべきかを考えて効率よく次々とアクションをおこしてゆくと、人間の記憶にも負担がかかるようになる。そこで、システム側が、人間に対して「次ステップ」のアドバイスをする機能が求められる。
【０００３】
特許文献１において、多重ワークのスケジューリングを支援する発明が開示されている。この発明は、常に、再スケジューリングすることにより、最適な段取りを組むことができる。
しかしながら、スケジュールに記載される内容は、ミーティングや会議、外出・出張など他者が関係するケースなどが主であることから、特許文献１に開示されている発明は、スケジュールに登録されていない事柄にまで及ぶ効果を有するものではない。
【０００４】
【特許文献１】特開２００５−２２２４７４号公報
【発明の開示】
【発明が解決しようとする課題】
【０００５】
本発明は、上述した背景からなされたものであり、複数の仕事を抱える作業者に対して、個人業務の段取りを支援することができる多層ワーク支援システムを提供することを目的とする。
【課題を解決するための手段】
【０００６】
上記目的を達成するために、本発明に係る多層ワーク支援装置は、ディスプレイと、ワークセット表示指示手段と、複数のワークセットを記憶するワークセット記憶手段と、前記ワークセット表示指示手段で指示された場合、前記ワークセット記憶手段により記憶されている複数のワークセットを所定の順序で前記ディスプレイに表示する表示制御手段とを有する。
【０００７】
好適には、前記ワークセット記憶手段は、複数のワークセットそれぞれの属性を記憶し、前記表示制御手段は、前記ワークセット記憶手段により記憶されているワークセットの属性に基づいて複数のワークセットの表示順序を判定する。
【０００８】
好適には、前記ワークセット記憶手段は、ワークセットの指定日を属性として記憶し、前記表示制御手段は、前記ワークセット記憶手段により記憶されているワークセットの指定日に基づいて複数のワークセットの表示順序を判定する。
好適には、前記表示制御手段は、ワークセットの指定日が予め設定されている期間に含まれるワークセットを判定対象とする。
【０００９】
好適には、前記ワークセット記憶手段は、ワークセットに対する関心度を属性として記憶し、前記表示制御手段は、前記ワークセット記憶手段により記憶されているワークセットに対する関心度に基づいて複数のワークセットの表示順序を判定する。
好適には、前記ワークセット記憶手段は、ワークセットに対する前回アクセス時を属性として記憶し、前記表示制御手段は、前記ワークセット記憶手段により記憶されているワークセットに対する前回アクセス時に基づいて複数のワークセットの表示順序を判定する。
好適には、前記ワークセット記憶手段は、ワークセットのリフレッシュ度を属性として記憶し、前記表示制御手段は、前記ワークセット記憶手段により記憶されているワークセットのリフレッシュ度に基づいて複数のワークセットの表示順序を判定する。
【００１０】
また、好適には、前記表示制御手段は、前記ワークセット表示指示手段で指示された場合、判定された優先順序に基づいて、前記ディスプレイに表示されているワークセットの次の優先順序のワークセットを前記ディスプレイに表示する。
また、好適には、前記表示制御手段は、前記ディスプレイに表示されているワークセットが複数の対象を含む場合、前記ワークセット表示指示手段で指示されると、前記ディスプレイに表示されている対象の次の対象を前記ディスプレイに表示する。
【００１１】
本発明に係る多層ワーク支援装置の表示制御方法は、ディスプレイとワークセット表示指示手段とを有する多層ワーク支援装置において、前記ワークセット表示指示手段で指示された場合、記憶されているワークセットの属性に基づいて複数のワークセットの表示順序を判定し、前記判定された表示順序で複数のワークセットを前記ディスプレイに表示する。
【００１２】
さらに、本発明に係るプログラムは、コンピュータとディスプレイとワークセット表示指示手段とを有する多層ワーク支援装置において、前記ワークセット表示指示手段で指示された場合、記憶されているワークセットの属性に基づいて複数のワークセットの表示順序を判定する判定ステップと、前記判定された表示順序で複数のワークセットを前記ディスプレイに表示する表示ステップとを前記多層ワーク支援装置のコンピュータに実行させる。
【発明の効果】
【００１３】
本発明に係る多層ワーク支援装置によれば、複数の仕事を抱える作業者に対して、個人業務の段取りを支援することができる。
【発明を実施するための最良の形態】
【００１４】
まず、本発明に係る多層ワーク支援装置の理解を容易にするために、本発明の概要を説明する。
オフィスにおいて、作業者は、自分ひとりで実行する個人ワークについて、他者と共有する意味でのスケジュール登録を行わない場合が多い。作業者は、重要性並びに緊急性などに基づく判断又は気分により、個人ワークを自由に行うことが多いからである。作業者は、個人ワークといえども、もはや、多くの情報を参照しながら(広く情報を広げながら)行う場合が多い。なお、個人ワークには、文書作成、メール対応、表計算、プログラミング、回覧・稟議その他庶務的な処理などが含まれる。
【００１５】
ここで、ワークセットの概念が導入される。ワークセットは、１つのワークを実施する際に、一緒に活用・参照される情報群と情報へのアクセス手段とのまとまりである。例えば論文執筆を例にとると、論文を書くためのワークセットが形成される。より具体的には、論文執筆というワークセットは、論文の本文を書くためのウィンドウ、関連資料を検索するためのインターネットブラウザ、過去の参考文献など、展開される多くの関連資料の集合である。また、作業者は、論文執筆を完全に終えてしまわない以上、ある時間において論文執筆作業を中断する必要がある。そこで、作業者が論文執筆作業をスムーズに再開できるためには、ワークセットが、一そろいの情報セットとして管理される必要がある。
【００１６】
一方、作業者が多数の資料を広げて、それぞれを快適に動かすためには、２つの要件が満たされる必要がある。
１つ目の要件は、ワークセットを展開する表示空間として、デスクトップＰＣなどによく見られる１つのディスプレイモニタだけではなく、より大きな表示媒体が必要であるということである。多くの作業者は、１つのディスプレイモニタにおけるマルチウィンドウ表示では見づらいと感じるためである。
２つ目の要件は、複数のアプリケーションを同時に起動しても問題なく動作するだけの複数性をもったコンピューティング環境で必要であるということである。
【００１７】
本発明に係る多層ワーク支援装置は、簡易な操作により、ワークセットの指定及び起動を行うことができる。さらに、本発明に係る多層ワーク支援装置は、作業者によりいつ何時問われたとしても、作業者が「次」に何をすべきか、最も妥当性の高いワークセットを提示することができる。
【００１８】
次に、本発明に係る多層ワーク支援装置１０について説明する。
図１は、本発明の実施形態に係る多層ワーク支援装置１０を示す図である。
図１に示すように、多層ワーク支援装置１０は、装置本体１２を中心として構成されており、装置本体１２を支える脚部４０、ディスプレイ１４ａ〜１４ｃ、これらのディスプレイ１４ａ〜１４ｃに表示する対象を指定するボタン群が配置された情報アクセス装置１６ａ，１６ｂ、及び入出力インターフェイス（ＩＦ）２２を有する。また、多層ワーク支援装置１０は、所定の音を出力するスピーカ（不図示）も有する。
なお、脚部４０は着脱可能であってもよく、装置本体１２がテーブル等に載置されて用いられてもよい。また、ディスプレイ１４ａ〜１４ｃなど、複数ある構成部分のいずれかを特定せずに示すときには、単にディスプレイ１４などと略記することがある。
【００１９】
ディスプレイ１４ａ〜１４ｃは、装置本体１２の正面に設けられており、横方向に配列されている。ディスプレイ１４ａ〜１４ｃは、例えば同一の画面サイズの液晶ディスプレイである。ディスプレイ１４は、後述する制御装置１００により制御されて、所定の情報を表示する。
なお、ディスプレイ１４は、仮想的なコンピュータのディスプレイであってもよい。また、ディスプレイ１４は、ＣＲＴ，ＰＤＰ等から構成されてもよく、それぞれが互いに異なる画面サイズであってもよい。
【００２０】
情報アクセス装置１６ａ，１６ｂは、ユーザに対してディスプレイ１４の手前であって、装置本体１２の左側及び右側の双方に設けられている。情報アクセス装置１６は、例えばタッチパネルからなり、制御装置１００により制御されて、所定の情報を表示し、さらに、ユーザからの入力を受け付けて制御装置１００に対して出力する。なお、情報アクセス装置１６は、装置本体１２の左側及び右側のいずれかに設けられてもよい。
【００２１】
情報アクセス装置１６には、複数のボタン１８が設けられており、ボタン群は、これらのボタン１８により構成される。ボタン１８には、表示対象あるいは演算の指定など、所定の動作が割り当てられており、情報アクセス装置１６は、ボタン１８が押下されることにより、ユーザから所望の指定を受け付ける。なお、ボタン１８が押下されたときの動作等は、後で詳述する。
【００２２】
情報アクセス装置１６ａ，１６ｂの間には、所定の物が載置される載置部２０が設けられており、この載置部２０の上面には、パーソナルコンピュータ（ＰＣ）等の入力装置２６が載置されてもよい。ここで、入力装置２６は、キーボード及びポインティングデバイスを含み、通信ケーブル２４を介して入出力ＩＦ２２と接続されて、多層ワーク支援装置１０の制御装置１００と、データを通信する。
ユーザは、このような多層ワーク支援装置１０を用いて、ネットワークを介して提供されるＷｅｂページ、記憶装置内に格納されているファイル等にアクセスして、多くの仕事を多層的に行う。
【００２３】
図２は、多層ワーク支援装置１０において用いられるコンピュータのハードウェア構成を示す図である。
図２に示すように、多層ワーク支援装置１０は、制御装置１００ａ〜１００ｅ、及び中継装置１１２を有し、制御装置１００ａ〜１００ｅのそれぞれは、ＣＰＵ１０４及びメモリ１０６を含む処理装置１０２、通信ＩＦ１０８、及び記憶装置１１０を有する。
【００２４】
制御装置１００において、通信ＩＦ１０８は、中継装置１１２を介して、他の制御装置１００、外部の入力装置２６、及びＬＡＮ，ＷＡＮ等のネットワーク２と、所定のデータを通信する。記憶装置１１０は、例えばＨＤＤ装置、ＣＤ装置あるいはＤＶＤ装置であり、データを記憶及び再生する。
このように、制御装置１００は、プログラムの実行による情報処理、及びネットワークを介して他の制御装置１００等との間の通信が可能なコンピュータとしての構成部分を有する。
【００２５】
中継装置１１２は、制御装置１００の間で送信及び受信されるデータを中継し、また、入力装置２６及びネットワーク２を介して接続される外部のコンピュータ（不図示）と、入出力ＩＦ２２を介して通信を行う。なお、この中継装置１１２は、サーバとして実現してもよく、また、制御装置１００がＰＣなどのネットワークアドレスを有する形で実現される場合には、複数の制御装置１００が、中継装置１１２を介さず、直接ＰｔｏＰ方式で接続されてもよい。
【００２６】
また、制御装置１００ａは、第１のディスプレイ１４ａに表示される情報を制御し、制御装置１００ｂは、第２のディスプレイ１４ｂに表示される情報を制御し、制御装置１００ｃは、第３のディスプレイ１４ｃに表示される情報を制御する。制御装置１００ｄは、第１の情報アクセス装置１６ａに表示される情報を制御し、第１の情報アクセス装置１６ａからの入力を受け付ける。同様に、制御装置１００ｅは、第２の情報アクセス装置１６ｂに表示される情報を制御し、第２の情報アクセス装置１６ｂからの入力を受け付ける。このように、ディスプレイ１４ａ〜１４ｃ及び情報アクセス装置１６ａ，１６ｂは、それぞれ異なる制御装置１００により制御される。なお、制御装置１００は、通常のＰＣで実現されてもよい。
【００２７】
さらに、制御装置１００ａは、第２のディスプレイ１４ｂ、第３のディスプレイ１４ｃ、及び情報アクセス装置１６ａ，１６ｂに対して、所定の情報を表示させる。この場合、制御装置１００ａは、例えば、制御装置１００ｂとデータを通信して、第２のディスプレイ１４ｂに情報を表示させる。また、制御装置１００ａは、情報アクセス装置１６ａ，１６ｂから入力されたデータを、制御装置１００ｄ，１００ｅを介して受け付ける。制御装置１００ｂ〜１００ｅもまた、同様にして、いずれのディスプレイ１４等に対しても情報を表示させ、いずれの情報アクセス装置１６からデータを受け付ける。
【００２８】
なお、いずれかの制御装置１００が、複数のディスプレイ１４及び情報アクセス装置１６を制御してもよいし、これらの全てを制御してもよい。また、１つの制御装置１００には、複数のＣＰＵ１０４及びメモリ１０６が含まれてもよい。
【００２９】
図３は、情報アクセス装置１６に表示されるボタン群を例示する図である。
図３に例示するように、ボタン群において、ボタン１８は、表示ボタン１８０−１〜１８０−ｍと、制御ボタン群とに分類される。これらのボタン１８は、押下可能な形及びサイズで表示され、例えば、表示ボタン１８０−１〜１８０−ｍは、左右の情報アクセス装置１６の上部に４行×５列で表示され、制御ボタン群のボタンは、情報アクセス装置１６の最下段の行に表示される。情報アクセス装置１６は、これらのボタン１８を介してユーザにより行われる入力操作を受け付けて、制御装置１００上で動作する後述の表示制御プログラム２００に対して出力する。
なお、ボタン群を構成するこれらのボタンの数は、本例に限定されず、ボタンの配置も図３に示される配置に限定されない。
【００３０】
表示ボタン１８０は、ディスプレイ１４に表示される対象を指定するボタンである。指定される対象には、Ｗｅｂページ、記憶装置１１０に保持されている電子ファイル、ネットワーク２を介して接続された他の電子機器に保持されている電子ファイル等が含まれる。
例えば、表示ボタン１８０−１は、Ｘ社のＷｅｂページをディスプレイ１４に表示させるボタンである。ユーザが表示ボタン１８０−１を押下すると、Ｘ社のＷｅｂページが、ディスプレイ１４ａ〜１４ｃのいずれかに表示される。また、例えば、表示ボタン１８０−４は、「報告書１」の電子ファイルをディスプレイ１４に表示させるボタンであり、ユーザが表示ボタン１８０−４を押下すると、「報告書１」がディスプレイ１４に表示される。
このようにして、ユーザは、所望のＷｅｂページや電子ファイルをディスプレイ１４ａ〜１４ｃに表示させ、入力装置２６及び情報アクセス装置１６ａ，１６ｂを用いて作業を行う。
【００３１】
また、表示ボタン１８０は、ワークセットをも指定するボタンである。ユーザが、論文執筆というワークセットを指定する表示ボタン１８０（不図示）を押下すると、論文の本文を書くためのウィンドウ、関連資料を検索するためのインターネットブラウザ等、指定されたワークセットに含まれる複数の文書がディスプレイ１４に表示される。
【００３２】
制御ボタン群のボタンは、ディスプレイ１４に表示された対象を制御するためのボタンであり、これらのボタンのそれぞれに、所定の動作が割り当てられている。特に、第１の制御ボタン及び第２の制御ボタンはそれぞれ、前ボタン１８２及び次ボタン１８４とも呼ばれる。
前ボタン１８２及び次ボタン１８４は、所定の優先順序の下で複数のワークセットを切り替えて、ディスプレイ１４に表示するための制御ボタンである。
【００３３】
より具体的には、次ボタン１８４は、ディスプレイ１４に現在表示されているワークセットの次の優先順序のワークセット（優先順序が１つ低いワークセット）をディスプレイ１４に表示するボタンである。前ボタン１８２は、ディスプレイ１４に現在表示されているワークセットの前の優先順序のワークセット（優先順序が１つ高いワークセット）をディスプレイ１４に表示するボタンである。
【００３４】
複数の対象（電子ファイル等）がワークセットに含まれている場合、次ボタン１８４は、ディスプレイ１４に現在表示されている対象の次の対象をディスプレイ１４に表示するボタンである。このとき、複数の対象が、例えばタイリング表示されて、１つのディスプレイに表示されてもよい。例えば、ワークセットが１２個の対象を含む場合、まず、最初の４個の対象がディスプレイ１４に表示され、次ボタン１８４が押下されると、次の４個の対象がディスプレイ１４に表示され、さらに次ボタン１８４が押下されると、最後の４個の対象が表示される。また、前ボタン１８２は、ディスプレイ１４に現在表示されている対象の前の対象をディスプレイ１４に表示するボタンである。
このようにして、前ボタン１８２及び次ボタン１８４は、ワークセット表示指示手段を構成する。
【００３５】
図４は、表示ボタン１８０それぞれに割り当てられている項目を管理するボタン管理テーブルを例示する図である。
図４に例示するように、ボタン管理テーブルには、表示ボタン１８０それぞれについて、ボタン名、表示名称、色、大きさ、形状、接続先が登録され、管理されている。ボタン管理テーブルは、制御装置１００の記憶装置１１０又はメモリ１０６に記憶されている。
【００３６】
ボタン名は、当該ボタンが情報アクセス装置１６に表示される際に表示される文字列である。ボタンＩＤは、ボタン群に含まれる表示ボタン１８０を一意に識別する識別子である。色、大きさ及び形状は、当該ボタンが情報アクセス装置１６に表示される際の外観を示す。例えば、Ｘ社ホームページ（ＨＰ）を指定するボタンの色は黒であり、ボタンの大きさは大であり、ボタンの形状は長方形１である。ボタンの色、大きさ並びに形状は所定の契機で変更されてもよく、ボタンの色等が変更された場合には、ボタン管理テーブルの該当する項目が更新される。
【００３７】
接続先は、当該ボタンが押下されたときにディスプレイ１４に表示される対象を示し、例えば、ＵＲＬ、ファイル等の対象が保存されている場所へのパス、ＩＰアドレス等が登録されている。ユーザは、表示ボタン１８０を押下したり、マウスでクリックしたりして、特定の接続先（例えば、Ｗｅｂページ、記憶装置１１０に保持されている電子ファイル、ネットワーク２を介して接続された他の電子機器等）の起動を指示する。
【００３８】
図５は、ワークセットを定義するワークセット定義テーブルを例示する図である。
図５に例示するように、ワークセット定義テーブルには、ワークセットそれぞれについて、ワークセット名、ボタンＩＤ、ファイル等、納期、重要度、リフレッシュ効果、前回起動時からのブランクが登録され、管理されている。ワークセット管理テーブルもまた、制御装置１００の記憶装置１１０等に記憶されている。
【００３９】
ワークセット名は、ボタン名と同様、当該ワークセットを指定する表示ボタン１８０に表示される文字列である。ファイル等は、当該ワークセットに含まれる対象であり、電子ファイル、ＵＲＬ、サービス、アプリケーション等、ディスプレイ１４に表示される対象であって、ボタン管理テーブル（図３）の接続先と同等のものである。ここで、ファイル等は、複数設定されてもよい。ファイル等が複数設定されている場合、表示ボタン１８０が押下されると、これらの複数のファイル等がディスプレイ１４に表示される。
【００４０】
納期は、当該ワークセットの納期を示し、優先順序の判定において緊急性として用いられる。重要度は、当該ワークセットの重要度を示し、優先順序の判定において用いられる。なお、重要度は、主観的な関心度であってもよい。リフレッシュ効果は、作業者が目先を変えて手詰まりを打開するためのワークセットを判定するための効果度を示し、例えば５段階で表される。例えば、リフレッシュ効果が５である場合、当該ワークセットのリフレッシュ効果が高く、リフレッシュ効果が１である場合、当該ワークセットのリフレッシュ効果は低い。前回起動時からのブランクは、前回起動時から経過した例えば日数を示す。
【００４１】
納期、重要度、リフレッシュ効果、及び前回起動時からのブランクは、複数のワークセットにおける優先順位の判定処理に用いられる。ワークセットは、これらの項目に基づいて算出された優先順位に応じて、ディスプレイ１４に表示される順序が決定される。
【００４２】
なお、ワークセット定義テーブルに含まれる項目は、本例に限定されない。また、ワークセット定義テーブルは、ボタン管理テーブルに含まれてもよい。
【００４３】
ワークセット定義テーブルは、外部又は多層ワーク支援装置１０において動作する表計算ソフトウェアあるいはデータベースソフトウェアにより実現されてもよいし、単に多層ワーク支援装置１０において動作するソフトウェア上の例えば配列構造により実現されてもよい。また、ワークセット定義テーブルは、利用者により直接編集されてもよいし、作業者が入力装置２６等を介して指定した値を多層ワーク支援装置１０により登録及び更新されて編集されてもよい。これらの実現方式及び編集方式は特に限定されず、複数の方式が併用して用いられてもよい。
【００４４】
次に、多層ワーク支援装置１０の情報アクセス装置１６において、次ボタン１８４が押下された場合の表示制御について説明する。
図６は、次ボタン１８４が押下された際の対象の表示及び切替えについて説明する図である。
図６（Ａ）に示すように、次ボタン１８４が押下されると、所定の複数のワークセットを対象として優先順序が判定され、最も優先順序が高いワークセットが選択され、このワークセットに含まれる対象がディスプレイ１４ａ〜１４ｃのいずれかに表示される。このとき、当該ワークセットを指定する表示ボタン１８０は外観が変更される。例えば、当該表示ボタン１８０が点灯したり、このボタンの色が変更されたりする。
【００４５】
さらに次ボタン１８４が押下されると、次に優先順序が高いワークセット選択され、当該ワークセットに含まれる対象がディスプレイ１４に表示される。このようにして、複数のワークセットが、次ボタン１８４が押下される毎に、優先順序に従ってディスプレイ１４に表示される。
【００４６】
優先順序は、緊急性に基づいて判定される。ここで、緊急性は、ワークセット定義テーブル（図５）の納期である。多層ワーク支援装置１０は、ワークセット定義テーブルに納期が登録されているワークセットのうち、納期が近いワークセットほど緊急性が高い（優先順序が高い）と判定する。
【００４７】
また、優先順序は、納期が所定の範囲に含まれるワークセットを対象として判定される。例えば、当該範囲は１日である。この場合、多層ワーク支援装置１０は、納期が当該日であるワークセットのうち、納期（例えば所定の時刻）が近いワークセットほど緊急性が高いと判定する。この範囲は、利用者により任意に設定されることができ、例えば週、月、年、年度等を単位として設定される。
優先順序は、重要度（関心度）、リフレッシュ効果、及び前回起動時からのブランクにさらに基づいて判定されてもよい。なお、優先順序の判定処理については後で詳述する。
【００４８】
複数の対象が１つのワークセットに含まれる場合、これらの対象は、所定数の対象毎にいわゆるタイリング表示される。タイリング数は、作業者により任意に設定される。例えば、「論文執筆」というワークセットに、執筆中の論文そのもの１件と参考文献３０本とが含まれており、タイリング数が４に設定されている場合、３１件の対象のうち４件が、一度にディスプレイ１４に表示される。
【００４９】
対象が表示されるディスプレイ１４は、作業者により任意に設定される。また、対象は、次ボタン１８４が押下されると、現在表示されているディスプレイ１４とは異なるディスプレイ１４に切り替えられて表示される。例えば、次ボタン１８４が押下される毎に、対象は、左のディスプレイ１４ａ、中央のディスプレイ１４ｂ、左のディスプレイ１４ｃの順に切り替えられて表示される。
【００５０】
この場合、図６（Ｂ）に示すように、まず、最初の４個の対象が左のディスプレイ１４ａに表示され、次ボタン１８４が押下されると、この４個の対象は中央のディスプレイ１４ｂに切り替えられて表示される。このとき、次の４個の対象が左のディスプレイ１４ａに表示される。さらに次ボタン１８４が押下されると、中央のディスプレイ１４ｂに表示されている４個の対象は右のディスプレイ１４ｃに切り替えられて表示され、左のディスプレイ１４ａに表示されている４個の対象は中央のディスプレイ１４ｂに切り替えられて表示され、新たに次の４個の対象が左のディスプレイ１４ａに表示される。
【００５１】
このように、対象が表示されるディスプレイ１４が３つであり、タイリング数が４である場合、１２個の対象がディスプレイ１４ａ〜１４ｃにおいて一度に表示される。対象は、左のディスプレイ１４ａ及び右のディスプレイ１４ｃのみに表示されてもよく、この場合、８個の対象が一度に表示されうる。なお、対象が表示されるディスプレイ１４の順序は、任意に設定されることができる。また、複数の対象はタイリング表示されなくてもよく、この場合、ウインドウサイズ及び表示場所は、作業者により調整されることができる。
【００５２】
対象は、最後のディスプレイ１４に表示された後、最初のディスプレイ１４に表示されてもよい。即ち、対象は、複数のディスプレイ１４ａ〜１４ｃにおいてサイクリックに表示されてもよい。対象が、例えば、左のディスプレイ１４ａ、中央のディスプレイ１４ｂ、及び右のディスプレイ１４ｃの順に切り替えられて表示された後、次ボタン１８４が押下された場合、当該対象は、左のディスプレイ１４ａに再び表示される。
【００５３】
前ボタン１８２が押下されると、対象は、次ボタン１８４が押下された場合と反対のディスプレイ１４に（図６（Ｂ）に示される矢印の反対方向に）切り替えられて表示される。なお、多層ワーク支援装置１０は、所定のボタン（例えばキーボード上のシフトキー）と次ボタン１８４とが同時に押下された場合、前ボタン１８２が押下された場合と同様の動作をしてもよい。
【００５４】
次に、上述した多層ワーク支援装置１０の表示制御方法を実現する表示制御プログラム２００について説明する。
図７は、多層ワーク支援装置１０の制御装置１００（図２）により実行される表示制御プログラム２００の構成を示す図である。
図７に示すように、表示制御プログラム２００は、ユーザインタフェース（ＵＩ）部２０２、通信部２０４、指定受付部２０６、優先度管理部２０８、表示部２１０、ボタン記憶部２１２及びワークセット記憶部２１４を有する。表示制御プログラム２００は、これらの構成部分により、次ボタン１８４及び前ボタン１８２の少なくともいずれかに対して操作が行われた場合、記憶されているワークセットの属性に基づいて複数のワークセットの優先順序（表示順序）を判定し、判定された優先順序で複数のワークセットをディスプレイ１４に表示して、当該複数のワークセットのディスプレイ１４に対する表示を制御する。
【００５５】
表示制御プログラム２００は、例えば、ネットワーク２、通信ＩＦ１０８（図２）などを介して処理装置１０２に供給され、メモリ１０６にロードされて、さらに処理装置１０２で動作するＯＳ上で、ハードウェアを具体的に利用して実行される。また、表示制御プログラム２００は、全ての制御装置１００ａ〜１００ｅにおいて実行されてもよいし、いずれかの制御装置１００において実行されてもよい。
【００５６】
表示制御プログラム２００において、ＵＩ部２０２は、情報アクセス装置１６及び入力装置２６に対するユーザの操作を受け入れ、後述する指定受付部２０６に対して出力する。ここで、ユーザの操作には、ボタン１８の押下（マウスによるクリックも含む）などが含まれる。また、ＵＩ部２０２は、後述する表示部２１０により作成された情報（画像データ、映像データ、音声データ等）及び各構成部分の処理内容などを、ディスプレイ１４及び情報アクセス装置１６に表示する。
【００５７】
通信部２０４は、通信ＩＦ１０８を介してデータを入出力し、中継装置１１２を介した多層ワーク支援装置１０内のデータの送受信、及びネットワーク２を介した外部のコンピュータとのデータの送受信を制御する。また、通信部２０４は、伝送される情報・データの改ざん防止のための暗号化処理を行ってもよい。
【００５８】
ボタン記憶部２１２は、図４に示されるボタン管理テーブル、及び表示ボタン１８０により示される接続先（Ｗｅｂページ等）の最新ファイル、文書作成ソフトウェアあるいは表計算ソフトウェアの電子ファイルなどのファイル実体を記憶する。ボタン記憶部２１２は、記憶装置１１０（図２）及びメモリ１０６により実現される。
【００５９】
ワークセット記憶部２１４は、図５に示されるワークセット定義テーブルを記憶する。ワークセット記憶部２１４は、所定の表計算ソフトウェアやデータベースソフトウェアにより実現されてもよいし、メモリ１０６等により実現されてもよい。また、ワークセット記憶部２１４は、表示制御プログラム２００の外部に存在してもよく、この場合、表示制御プログラム２００は、ワークセットに関する情報の送受信を、ワークセット記憶部２１４を実現するソフトウェアと行う。
【００６０】
指定受付部２０６は、ユーザが情報アクセス装置１６の表示ボタン１８０、前ボタン１８２及び次ボタン１８４を押下して行う操作をＵＩ部２０２を介して受け付ける。指定受付部２０６は、作業者による表示ボタン１８０の押下操作を受け付けた場合、当該表示ボタン１８０が押下された旨を表示部２１０に対して出力し、作業者による前ボタン１８２及び次ボタン１８４のいずれかの押下操作を受け付けた場合、前ボタン１８２及び次ボタン１８４が押下された旨を優先度管理部２０８に対して出力する。
【００６１】
優先度管理部２０８は、次ボタン１８４が押下された旨を指定受付部２０６から入力した場合、ワークセット記憶部２１４に記憶されているワークセットの属性に基づいて複数のワークセットの優先順序を判定し、この判定結果を保持し、最も優先順序が高いワークセットを表示部２１０に対して出力する。
また、優先度管理部２０８は、既に判定された優先順序を保持している場合、次ボタン１８４が押下された旨を指定受付部２０６から入力すると、当該判定された優先順序に基づいて、ディスプレイ１４に表示されているワークセットの次の優先順序のワークセット（優先順序がより低いワークセット）を表示部２１０に対して出力する。優先度管理部２０８は、既に判定された優先順序を保持している場合、前ボタン１８２が押下された旨を指定受付部２０６から入力すると、当該判定された優先順序に基づいて、ディスプレイ１４に表示されているワークセットの前の優先順序のワークセット（優先順序がより高いワークセット）を表示部２１０に対して出力する。
【００６２】
優先度管理部２０８は、ワークセット記憶部２１４により記憶されているワークセットの納期（指定日）に基づいて複数のワークセットの優先順序を判定する。このとき、優先度管理部２０８は、ワークセットの納期が、予め設定されている期間（例えば１日）に含まれるワークセットを判定対象とする。
【００６３】
また、優先度管理部２０８は、ワークセット記憶部２１４により記憶されているワークセットに対する前回アクセス時に基づいて複数のワークセットの優先順序を判定してもよい。さらに、優先度管理部２０８は、ワークセット記憶部２１４により記憶されているワークセットの重要度、ワークセットの優先度並びにリフレッシュ度の少なくともいずれかに基づいて複数のワークセットの優先順序を判定してもよい。
【００６４】
優先度管理部２０８は、ディスプレイ１４に表示されているワークセットが複数の対象（ファイル、ＵＲＬ、サービス、アプリケーション等）を含む場合、次ボタン１８４が押下された旨を指定受付部２０６から入力すると、ディスプレイ１４に表示されている対象の次の対象を表示部２１０に対して出力する。また、優先度管理部２０８は、ディスプレイ１４に表示されているワークセットが複数の対象を含む場合、前ボタン１８２が押下された旨を指定受付部２０６から入力すると、ディスプレイ１４に表示されている対象の前の対象を表示部２１０に対して出力する。
【００６５】
表示部２１０は、ボタン記憶部２１２に記憶されているボタン管理テーブルの接続先を参照して、指定受付部２０６により受け付けられた表示ボタン１８０により指定される対象をディスプレイ１４に表示する。ここで、表示対象は、例えば、業務を実行するためのアプリケーションソフト（表計算ソフト、文書作成ソフト、遠隔会議用ソフト等）のウインドウ表示、Ｗｅｂページの表示等を含む。
【００６６】
また、表示部２１０は、優先度管理部２０８から入力したワークセットに含まれる対象をディスプレイ１４に表示する。表示部２１０は、優先度管理部２０８からワークセットを入力する毎に、前回表示したワークセットを異なるディスプレイ１４に切り替えて表示し、新たに入力したワークセットを表示する。このとき、表示部２１０は、ワークセットを、複数のディスプレイ１４ａ〜１４ｃに対して所定の順序（例えばディスプレイ１４ａ，ディスプレイ１４ｂ，ディスプレイ１４ｃの順）で切り替えて表示する。表示部２１０は、ワークセットをサイクリックに表示してもよい。
【００６７】
表示部２１０は、ワークセットが複数の対象を含む場合、当該複数の対象のうち少なくとも一部の複数の対象をディスプレイ１４にタイリング表示する。例えば、表示部２１０は、対象を４個ずつタイリング表示する。
【００６８】
図８は、表示制御プログラム２００（図７）の優先度管理部２０８により実行される、納期優先設定（通常設定）時の優先順序判定処理（Ｓ１０）を示すフローチャートである。
図８に示すように、ステップ１００（Ｓ１００）において、表示制御プログラム２００の優先度管理部２０８は、次ボタン１８４が押下された旨を指定受付部２０６から入力すると、ワークセット記憶部２１４に記憶されているワークセットのうち、納期が設定されているワークセットを対象として、納期がより近いワークセットをより高い優先順序する。ここで、優先度管理部２０８は、納期が所定の期間（例えば１ヶ月）に含まれるワークセットを判定対象としてもよい。
【００６９】
ステップ１０２（Ｓ１０２）において、優先度管理部２０８は、納期が設定されているワークセットを除いた残りのワークセットのうち、ワークセットの重要度（関心度）が設定されているワークセットを対象として、重要度（関心度）順に順序付ける。
ステップ１０４（Ｓ１０４）において、優先度管理部２０８は、残ったワークセットを、最も最近にアクセスされた順に順序付ける。
このようにして、優先度管理部２０８は、複数のワークセットに対して優先順序を算出し、この優先順序を保持する。
【００７０】
図９は、表示制御プログラム２００の表示部２１０により実行される対象表示処理（Ｓ２０）を示すフローチャートである。
図９に示すように、ステップ２００（Ｓ２００）において、表示制御プログラム２００の表示部２１０は、優先度管理部２０８から入力したワークセットに含まれる対象のうち、所定数の対象をディスプレイ１４にタイリング表示する。
【００７１】
ステップ２０２（Ｓ２０２）において、優先度管理部２０８は、当該ワークセットに含まれる全ての対象が表示済みであるか否かを判定する。表示制御プログラム２００は、全ての対象が表示済みである場合、対象表示処理を終了し、そうでない場合、Ｓ２０４の処理に進む。
【００７２】
ステップ２０４（Ｓ２０４）において、指定受付部２０６は、ユーザにより次ボタン１８４が押下されたか否かを判定する。表示制御プログラム２００は、次ボタン１８４が押下された場合、Ｓ２０６の処理に進み、そうでない場合、Ｓ２０４の処理に戻る。
【００７３】
ステップ２０６（Ｓ２０６）において、優先度管理部２０８は、次ボタン１８４が押下された旨を指定受付部２０６から入力すると、ワークセット記憶部２１４に記憶され、ディスプレイ１４に現在表示されているワークセットのうち、現在表示されている対象（例えば１番目から４番目の対象）の次の対象（例えば５番目から８番目の対象）を参照して、これらの対象のＵＲＬ、電子ファイルへのパス等を表示部２１０に対して出力する。
【００７４】
表示部２１０は、表示済みの対象を異なるディスプレイ１４に切り替えて表示し、優先度管理部２０８から入力した対象を切替え前のディスプレイ１４に表示する。例えば、左のディスプレイ１４ａにタイリング表示されている対象を中央のディスプレイ１４ｂに切り替えて表示し、優先度管理部２０８から入力した対象を左のディスプレイ１４ａにタイリング表示する。その後、表示制御プログラム２００は、Ｓ２０２の処理に戻る。
【００７５】
図１０は、本発明に係る多層ワーク支援装置１０の全体動作（Ｓ３０）を示すフローチャートである。
図１０に示すように、ステップ３００（Ｓ３００）において、表示制御プログラム２００の指定受付部２０６は、ユーザによる次ボタン１８４の押下操作をＵＩ部２０２を介して受け付けたか否かを判定する。表示制御プログラム２００は、ユーザにより次ボタン１８４が押下された場合、Ｓ３０２の処理に進み、そうでない場合、Ｓ３００の処理に戻る。
【００７６】
ステップ３０２（Ｓ３００）において、指定受付部２０６は、ユーザにより次ボタン１８４が押下された旨を優先度管理部２０８に対して出力する。優先度管理部２０８は、ワークセット記憶部２１４に記憶されているワークセット定義テーブルを参照する。
その後、表示制御プログラム２００は優先順序判定処理（図８；Ｓ１０）を行って、さらに対象表示処理（図９；Ｓ２０）を行う。
【００７７】
ステップ３０４（Ｓ３０４）において、優先度管理部２０８は、全てのワークセットが表示済みであるか否かを判定する。全ての対象が表示済みである場合、表示制御プログラム２００は処理を終了する。そうでない場合、次ボタン１８４が押下されると、表示制御プログラム２００は対象表示処理（Ｓ２０）に戻り、次の優先順位のワークセットの対象がディスプレイ１４に表示される。
【００７８】
以上説明したように、本発明に係る多層ワーク支援装置１０は、ディスプレイと、次ボタン１８４等のワークセット表示指示手段と、複数のワークセットを記憶するワークセット記憶部２１４と、ワークセット表示指示手段で指示された場合、ワークセット記憶部２１４により記憶されている複数のワークセットを所定の順序でディスプレイに表示する表示制御プログラム２００とを有する。
これにより、多層ワーク支援装置１０は、複数の仕事を抱える作業者に対して、個人業務の段取りを支援することができる。作業者は、長短の時間軸の中で、自分が次にすべき作業を効率よく認識することができる。
【００７９】
なお、多層ワーク支援装置１０は、まず、納期が記されているワークセットを優先順序判定処理の対象として優先順序判定処理を行い、次に、それ以外のワークセットに対してランダムで優先順序を設定してもよい。これにより、作業者は、ランダムに表示されるワークセットを認識して、はっと気づく場合もあり、作業者の創造性が高められることができる。
また、ワークセットは、納期が経過したにもかかわらず終了されていない場合もある。この場合、多層ワーク支援装置１０は、納期遅れの度合いが大きいワークセットをより高い優先順序として、優先順序を判定してもよい。又は、多層ワーク支援装置１０は、納期を過ぎたワークセットの納期を「本日」に更新して、優先順序判定処理の対象にしてもよい。
【００８０】
次に、本発明の第２の実施形態に係る多層ワーク支援装置１０を説明する。
図１１は、本実施形態において情報アクセス装置１６に表示される制御ボタン群を示す図である。
図１１に示すように、本実施形態に係る多層ワーク支援装置１０は、次ボタン１８４の替わりに、次日ボタン１８６、次週ボタン１８８、次月ボタン１９０、次年ボタン１９２及び次長ボタン１９４を有する点で、第１の実施形態に係る多層ワーク支援装置１０とは異なる。
【００８１】
次日ボタン１８６は、納期が現在から１日の範囲に含まれるワークセットを対象として判定された優先順序において、次の優先順序のワークセットを表示するボタンである。
次週ボタン１８８は、納期が現在から１週間の範囲に含まれるワークセットを対象として判定された優先順序において、次の優先順序のワークセットを表示するボタンである。
次月ボタン１９０は、納期が現在から１ヶ月の範囲に含まれるワークセットを対象として判定された優先順序において、次の優先順序のワークセットを表示するボタンである。
次年ボタン１９２は、納期が現在から１年間の範囲に含まれるワークセットを対象として判定された優先順序において、次の優先順序のワークセットを表示するボタンである。
次長ボタン１９４は、納期が現在から所定の長期間の範囲に含まれるワークセットを対象として判定された優先順序において、次の優先順序のワークセットを表示するボタンである。
【００８２】
本実施形態において、表示制御プログラム２００の指定受付部２０６は、作業者により押下された次日ボタン１８６〜次長ボタン１９４のいずれかを受け付け、当該受け付けられた次日ボタン１８６等に関する情報を優先度管理部２０８に対して出力する。
優先度管理部２０８は、指定受付部２０６から入力されたボタンに応じた期間（１日、１週間、１ヶ月、１年間又は所定の長期間）に含まれるワークセットを判定対象として、ワークセットの納期に基づいて複数のワークセットの優先順序を判定する。
【００８３】
これにより、作業者は、所望の期間に含まれるワークセットの提示を、より簡易な操作で行うことができる。
なお、図１１に示される制御ボタンの期間（１日、１週間等）は本例に限定されず、例えば、「３ヶ月」や「半年」を指定するボタンが含まれていてもよい。
【００８４】
次に、本発明の第３の実施形態に係る多層ワーク支援装置１０を説明する。
本実施形態に係る多層ワーク支援装置１０は、ワークセットのリフレッシュ度に基づいて複数のワークセットの優先順序を判定する点で、第１の実施形態に係る多層ワーク支援装置１０とは異なる。
図１２は、表示制御プログラム２００（図７）の優先度管理部２０８により実行される、リフレッシュを求める場合の優先順序判定処理（Ｓ４０）を示すフローチャートである。
図１２に示すように、ステップ４００（Ｓ４００）において、表示制御プログラム２００の優先度管理部２０８は、次ボタン１８４が押下された旨を指定受付部２０６から入力すると、ワークセット記憶部２１４に記憶されているワークセットのうち、所定期間先（例えば１週間先）が納期として設定されているワークセットを検索して、以降の処理の対象とする。これにより、作業者の目先を変えて手詰まりを打開する効果が得られる。
【００８５】
ステップ４０２（Ｓ４０２）において、優先度管理部２０８は、ワークセットのリフレッシュ効果が設定されているワークセットを対象として、リフレッシュ効果順に順序付ける。
ステップ４０４（Ｓ４０４）において、優先度管理部２０８は、Ｓ４０２の処理で順序付けられたワークセットを除いた残りのワークセットのうち、前回からの起動のブランクが長いワークセットを、当該ブランク期間に基づいて順序付ける。
ステップ４０６（Ｓ４０６）において、優先度管理部２０８は、残ったワークセットを、最も最近にアクセスされた順の逆順に順序付ける。
【００８６】
このようにして、多層ワーク支援装置１０は、作業者がはっとするような刺激を作業者に対して与えることができ、作業者は、目先が変えられたワークセットを認識することによりリフレッシュして創造力を発揮することができる。
また、ワークセット定義テーブルにおいて、それぞれのワークセットについて、リラックス度（作業者それぞれにとってリラックスできる度合い）が予め登録されていてもよい。この場合、多層ワーク支援装置１０は、このリラックス度を優先順序判定処理に用いることができる。
また、多層ワーク支援装置１０は、より長期の範囲が納期として設定されているワークセットを優先順序判定処理の対象としてもよい。
【００８７】
さらに、多層ワーク支援装置１０は、納期が設定されていないワークセットであって最新の起動履歴が所定日より古いものを優先順序判定処理の対象としてもよく、この場合、多層ワーク支援装置１０は、これらの対象をランダムに順序付ける。これにより、多層ワーク支援装置１０は、作業者に対して、新しい気づきをもたらすことができる。
【図面の簡単な説明】
【００８８】
【図１】本発明の実施形態に係る多層ワーク支援装置１０を示す図である。
【図２】多層ワーク支援装置１０において用いられるコンピュータのハードウェア構成を示す図である。
【図３】本発明の第１の実施形態に係る多層ワーク支援装置１０の情報アクセス装置１６に表示されるボタン群を例示する図である。
【図４】表示ボタン１８０それぞれに割り当てられている項目を管理するボタン管理テーブルを例示する図である。
【図５】ワークセットを定義するワークセット定義テーブルを例示する図である。
【図６】次ボタン１８４が押下された際の対象の表示及び切替えについて説明する図である。
【図７】多層ワーク支援装置１０の制御装置１００（図２）により実行される表示制御プログラム２００の構成を示す図である。
【図８】表示制御プログラム２００（図７）の優先度管理部２０８により実行される、納期優先設定（通常設定）時の優先順序判定処理（Ｓ１０）を示すフローチャートである。
【図９】表示制御プログラム２００の表示部２１０により実行される対象表示処理（Ｓ２０）を示すフローチャートである。
【図１０】本発明に係る多層ワーク支援装置１０の全体動作（Ｓ３０）を示すフローチャートである。
【図１１】本発明の第２の実施形態に係る多層ワーク支援装置１０の情報アクセス装置１６に表示される制御ボタン群を示す図である。
【図１２】本発明の第３の実施形態に係る多層ワーク支援装置１０において、表示制御プログラム２００（図７）の優先度管理部２０８により実行される、リフレッシュを求める場合の優先順序判定処理（Ｓ４０）を示すフローチャートである。
【符号の説明】
【００８９】
１０ 多層ワーク支援装置
１２ 装置本体
１４ ディスプレイ
１６ 情報アクセス装置
１８ ボタン
１００ 制御装置
１０２ 処理装置
１０４ ＣＰＵ
１０６ メモリ
１１０ 記憶装置
１１２ 中継装置
１８０ 表示ボタン
１８２ 前ボタン
１８４ 次ボタン
１８６ 次日ボタン
１８８ 次週ボタン
１９０ 次月ボタン
１９２ 次年ボタン
１９４ 次長ボタン
２００ 表示制御プログラム
２０２ ＵＩ部
２０４ 通信部
２０６ 指定受付部
２０８ 優先度管理部
２１０ 表示部
２１２ ボタン記憶部
２１４ ワークセット記憶部
【図１】
2007156878.tif 000003
【図２】
2007156878.tif 000004
【図３】
2007156878.tif 000005
【図４】
2007156878.tif 000006
【図５】
2007156878.tif 000007
【図６】
2007156878.tif 000008
【図７】
2007156878.tif 000009
【図８】
2007156878.tif 000010
【図９】
2007156878.tif 000011
【図１０】
2007156878.tif 000012
【図１１】
2007156878.tif 000013
【図１２】
2007156878.tif 000014